(57)【特許請求の範囲】
【請求項１】
発光素子を光源とし、所定の発光領域を有する発光部を備えた器具本体と；
センサ受光部及び補助光源を含んだ複数の実装部品が同一基板上に実装されたユニット基板および前記実装部品に対応する開口部が設けられ、前記器具本体の発光部の発光領域外であって外周縁部に配設された補助部品ユニットと；
を具備することを特徴とする照明器具。
【請求項２】
前記発光部は、外周部に光入射端面を有する導光板から構成されており、前記発光素子は、導光板の光入射端面に出射光が入射するように配設されていることを特徴とする請求項１に記載の照明器具。
【請求項３】
前記実装部品として赤外線リモコン信号受信部が補助部品ユニットに設けられており、赤外線リモコン信号受信部は、発光部の照射方向である底部側よりも上方に位置するように器具本体の外周縁部に配設されているとともに、補助部品ユニットと近接する器具本体の部位は、中央部方向に向かって傾斜状に形成されていることを特徴とする請求項１又は請求項２に記載の照明器具。
【発明の詳細な説明】
【技術分野】
【０００１】
本発明の実施形態は、ＬＥＤ等の発光素子を光源とし、リモコン信号受信部を有する補助部品ユニットが設けられた照明器具に関する。
【背景技術】
【０００２】
従来、例えば、環状蛍光ランプを主光源とする一般住宅用の照明器具においては、リモコン信号受信部や補助光源（常夜灯）等の電気的補助部品は、主光源とともに本体に配設されてセードによって覆われている。
また、近時、ＬＥＤ等の発光素子の高出力化、高効率化及び普及化に伴い、光源として発光素子を用いて長寿命化が期待できる照明器具が開発されている。
【先行技術文献】
【特許文献】
【０００３】
【特許文献１】特開平１０−２２３０３９号公報
【発明の概要】
【発明が解決しようとする課題】
【０００４】
しかしながら、上記のような従来の照明器具においては、リモコン信号受信部等の補助部品がセード上に暗部となって現れたり、また、各補助部品が分散して設けられているので、その配線処理や組立作業の効率が低下するという問題が生じていた。
【０００５】
本発明は、上記課題に鑑みなされたもので、発光素子を光源とし、補助部品によって暗部を形成することを回避でき、また、配線処理や組立作業の効率化を図ることが可能な照明器具を提供することを目的とする。
【課題を解決するための手段】
【０００６】
本実施形態による照明器具は、発光素子を光源とし、所定の発光領域を有する発光部を備えた器具本体と、センサ受光部及び補助光源を含んだ複数の実装部品が同一基板上に実装されたユニット基板および前記実装部品に対応する開口部が設けられ、前記器具本体の発光部の発光領域外であって外周縁部に配設された補助部品ユニットとを備えている。
【発明の効果】
【０００７】
本発明の実施形態によれば、補助部品によって発光部に暗部を形成することを回避できるとともに、発光部の輝度むらを抑制でき、また、配線処理や組立作業の効率化を図ることができる。
【図面の簡単な説明】
【０００８】
【図１】本発明の第１の実施形態に係る照明器具を示す斜視図である。
【図２】同照明器具を分解して示す斜視図である。
【図３】同器具本体を背面側から見て示す斜視図である。
【図４】同器具本体を前面側から見て示す平面図である。
【図５】図３中、Ｘ−Ｘ線に沿って示す断面図である。
【図６】図５中、Ａ部を示す拡大図である。
【図７】図５中、Ｂ部を示す拡大図である。
【図８】補助部品ユニットにおけるユニット基板を示す斜視図である。
【図９】同補助部品ユニットにおけるユニット基板を示す側面図である。
【図１０】補助部品ユニットを前面側から見て示す平面図である。
【図１１】図１０中、Ｘ−Ｘ線に沿って示す断面図である。
【図１２】同照明器具の天井面への取付状態を示す断面図である。
【図１３】同じく、照明器具の天井面への取付状態を示す断面図である。
【図１４】同照明器具と他の照明器具（光源を蛍光ランプとするもの）とが混在して設置された場合を示す説明図である。
【図１５】本発明の第２の実施形態に係る照明器具の天井面への取付状態を示す側面図である。
【図１６】本発明の第３の実施形態に係る照明器具を前面側から見て示す平面図である。
【発明を実施するための形態】
【０００９】
以下、本発明の第１の実施形態について図１乃至図１４を参照して説明する。なお、各図においてリード線等による配線接続関係は省略して示している。また、同一部分には同一符号を付し、重複した説明は省略する。
【００１０】
本実施形態の照明器具は、器具取付面に設置された引掛けシーリングボディに取付けられて使用される形式であり、導光板を用いて例えば、室内の照明を行うものである。
【００１１】
図１乃至図５において、照明器具は、器具本体１と、器具取付面としての天井面Ｃに設置された引掛けシーリングボディＣｂに電気的かつ機械的に接続されるアダプタＡ（図２及び併せて図１２参照）と、赤外線リモコン送信器Ｒとを備えている。器具本体１は、図１に示すように略正方形状の外観に形成され、前面側を光の照射面とし、背面側を天井面Ｃへの取付面としている。
【００１２】
図２に代表して示すように、器具本体１は、点灯装置２と、反射板３と、シャーシ４と、アダプタガイド５と、光源部６と、導光板７と、補助部品ユニット８と、本体枠９と、カバー部材１０とを備えている。これら構成要素について順次説明する。
【００１３】
点灯装置２は、箱状のケース内に回路基板及びこの基板に実装された回路部品を収容して構成されており、アダプタＡを介して商用交流電源に接続されるようになっていて、この交流電源を受けて直流出力を生成するものである。したがって、点灯装置２は、後述する光源部６に電気的に接続されて、その直流出力を発光素子６１に供給し、発光素子６１を点灯制御するようになっている。この点灯装置２は、反射板３の背面側に位置して取付けられている（図３参照）。
【００１４】
反射板３は、アルミニウム等の金属材料から略正方形状に形成されており、正方形状の浅皿状の凹部３１を有し、この凹部３１の各辺には外側に延出する取付片３２が形成されている。また、凹部３１の前面側は、反射面として構成されており、さらに、略中央部には、四角形状の開口３３が形成されている。
【００１５】
シャーシ４は、冷間圧延鋼板等の金属材料から略直方体の箱状に形成されており、一端側（図示上、下側）を開放し、この開放した各辺には外側に向かって水平方向に延出する鍔状の当接部４１が形成されている。また、他端側（図示上、上側）には、円形状の開口５２が形成されている。したがって、シャーシ４は、全体としては高さの低い略筒状をなしている。当接部４１は、導光板７の背面側に当接される部分であり、開口４２は、アダプタＡが挿通される部分である。そして、図５に示すように、シャーシ４の当接部４１の上面側に、反射板３における開口３３の周辺部が重合されるように配置され、こられが溶接等によって固着されている。なお、シャーシ４の当接部４１は、導光板７を補強する機能を有している。
【００１６】
アダプタガイド５は、図６の参照を加えて示すように、略八角柱状に形成されていて、中央部にアダプタＡが挿通し、係合する係合口５１が設けられており、下端側に外方へ向かう鍔部５２が形成されている。このアダプタガイド５は、その外周面がシャーシ４の内周面に接するように配設され取付けられている。
【００１７】
光源部６は、図２、図５及び図７に示すように、光源である発光素子６１が実装された基板６２と、この基板６２が取付けられる取付部材としての取付板６３とから構成されている。
【００１８】
基板６２は、横長の長方形状に形成されていて、絶縁材であるガラスエポキシ樹脂の平板からなり、表面側には銅箔で形成された配線パターンが施されている。また、適宜レジスト層が施されるようになっている。なお、基板６２の材料は、絶縁材とする場合には、セラミックス材料又は合成樹脂材料を適用できる。さらに、金属製とする場合は、アルミニウム等の熱伝導性が良好で放熱性に優れたべース板の一面に絶縁層が積層された金属製のべース基板を適用してもよい。
【００１９】
発光素子６１は、ＬＥＤであり、表面実装型のＬＥＤパッケージである。このＬＥＤパッケージが基板６２の長手方向に沿って直線状に並べられて複数個、具体的には１５個実装され配設されている。ＬＥＤパッケージは、概略的にはセラミックスで形成された本体に配設されたＬＥＤチップと、このＬＥＤチップを封止するエポキシ系樹脂やシリコーン樹脂等のモールド用の透光性樹脂とから構成されている。
【００２０】
ＬＥＤチップは、青色光を発光する青色のＬＥＤチップである。透光性樹脂には、蛍光体が混入されており、白色光を出射できるようにするために、青色の光とは補色の関係にある黄色系の光を放射する黄色蛍光体が使用されている。
【００２１】
なお、ＬＥＤは、ＬＥＤチップを直接基板６２に実装するようにしてもよく、また、砲弾型のＬＥＤを実装するようにしてもよく、実装方式や形式は、格別限定されるものではない。
【００２２】
取付板６３は、アルミニウムや亜鉛めっき鋼板等の熱伝導が良好な材料から作られており、横長で側面が略Ｃ型チャンネル形状に形成されている。この取付板６３の内側壁には、２枚の基板６２が、ねじ止め等によって、その裏面側が密着するように長手方向に並べられて取付けられている。したがって、光源部６は、一つの取付板６３に２枚の基板６２が取付けられてユニット化されている。
本実施形態では、主として図２に示すように、このユニット化された光源部６が４個用いられており、導光板７の各辺に対応して配設されるようになっている。
【００２３】
導光板７は、アクリル樹脂等の透過率の高い材料を用いて四角形状の平板状に形成され、背面側には光を拡散する多数の白色の反射ドットからなるドットパターンが印刷によって形成されている。さらに、導光板７の略中央部には、アダプタガイド５の外形と対応し、また、アダプタＡと対応するように略八角形の開口７１が形成されている。この略八角形の開口７１は、原型的には、四角形の角部を面取りした形状として形成されている。また、この導光板７の外周部である四角形状の各辺、すなわち、側端面は、発光素子６１から出射される光が入射して導光板７内を進行する光入射端面７２として機能するようになっている。そして、導光板７は、前面側に面状の発光領域を有する発光部として構成される。
なお、導光板７には、背面側に反射シートを設けたものや前面側に拡散シートを設けたものを適宜適用できる。
【００２４】
補助部品ユニット８は、図８乃至図１１の参照を加えて説明するように、横長箱状のケース８１内にユニット基板８２及びこの基板８２に実装された実装部品として複数の電気的補助部品を備えて構成されている。本実施形態における電気的補助部品は、赤外線リモコン信号受信部８４、照度センサ８５、補助光源としての常夜灯８６、スイッチ８７や補助光源としてのモニターランプ８８等である。
【００２５】
この補助部品ユニット８は、照明器具、すなわち、器具本体１の外周縁部、具体的には、本体枠９の一辺側に配設される。したがって、導光板７の発光領域の外側に配設されるようになっている。なお、器具本体１の外周縁部とは、末端の端縁部のみならず一定の幅を有する範囲を意味している。
【００２６】
赤外線リモコン信号受信部８４は、赤外線受光ＩＣからなるセンサ受光部であり、光電変換素子であるフォトダイオードや増幅器等から構成されており、赤外線リモコン送信器Ｒから送信される赤外線制御信号を受信して発光素子６１の発光状態等を制御するように動作する。照度センサ８５は、フォトダイオード等からなるセンサ受光部であり、周囲の明るさを測定して検出信号を出力するように動作する。これにより周囲が明るい場合には、発光素子６１を減光（調光）して点灯するように制御する。
【００２７】
常夜灯８６には、その光源として前面側にレンズが設けられたＬＥＤのパッケージが用いられていて、このパッケージが３個実装されている。スイッチ８７は、赤外線リモコン信号受信部８４のチャンネルを切換えるチャンネル設定スイッチである。また、モニターランプ８８は、例えば、緑色発光のＬＥＤが用いられており、調光状態を表示するようになっている。
【００２８】
なお、ユニット基板８２の約１／３強の領域（図８上、右側）には、反射層８２ａとして白色のレジスト層が形成されている。この反射層８２ａが形成されている領域には、光を放射する常夜灯８６、モニターランプ８８が配設されており、これによって光を有効に前面側に放射できるようになっている。つまり、ユニット基板８２上には、反射層８２ａを境として光を放射する部品と、それ以外の部品とが分けられて配設されている。
【００２９】
図１１に示すように、箱状のケース８１は、本体ケース８１ａとケースカバー８１ｂとから構成されている。本体ケース８１ａ内には、ユニット基板８２が取付けられており、この本体ケース８１ａの開口側にはケースカバー８１ｂが取付けられている。
【００３０】
図１０及び図１１に示すように、ケースカバー８１ｂには、各電気的補助部品に対応して開口部等が形成されている。具体的には、赤外線リモコン信号受信部８４及び照度センサ８５に対応して筒状部８４ａ、８５ａが形成され、スイッチ８７及びモニターランプ８８に対応して開口部８７ａ、８８ａが形成され、常夜灯８６に対応して開口部を介して透光性のカバー８６ａが設けられている。また、ケースカバー８１ｂの外周にはフランジ８１ｂ１が形成されている。
【００３１】
ここで、赤外線リモコン信号受信部８４に対応する筒状部８４ａは、外部からの赤外線によるノイズを抑制する作用を有している。また、照度センサ８５に対応する筒状部８５ａは、発光部である導光板７からの光の影響を抑制し、照度の検知範囲、すなわち、照度センサ８５の受光範囲を定める作用を有している。このため内周面が傾斜状に形成されている。この内周面は、照度センサ８５の受光性能を高めるため、鏡面処理や反射率の高い材料で形成することができる。さらに、内周面に光屈折率の高い材料を充填するようにしてもよい。
【００３２】
このように構成された補助部品ユニット８は、複数の電気的補助部品が集中化して設けられていて、本体枠９に形成された開口部に嵌合され、ケースカバー８１ｂのフランジ８１ｂ１が係止されて、図示しない固定手段によって本体枠９に取付けられる。この場合、赤外線リモコン信号受信部８４は、本体枠９の底壁９２と略同一又は底壁９２から若干突出して位置されるようになる。また、補助部品ユニット８は、点灯装置２とハーネスを介して接続されており、点灯装置２を通じて電源が供給されるようになっている。
【００３３】
なお、前記ケースカバー８１ｂを設けることなく、例えば、本体枠９に直接的に各電気的補助部品に対応する筒状部８４ａ、８５ａや開口部８７ａ、８８ａを形成するようにしてもよく、また、筒状部８４ａ、８５ａを別部材として用意し、直接ユニット基板８２に圧入して装着するように構成してもよい。
【００３４】
本体枠９は、ＡＢＳ樹脂やポリカーボネート等の合成樹脂から作られていて、略正方形状であって前記導光板７の寸法より大きな枠状に形成されており、側壁９１と、この側壁９１の下端部から内側に向かって延出し、斜めに立ち上がる傾斜状部を有する底壁９２とを備えている。また、底壁９２には、複数のボス９３が立設されており、このボス９３には、反射板３の取付片３２がねじ止めされるようになっている。また、前述のように、正方形状の一辺に対応する底壁９２には、補助部品ユニット８が嵌合する開口部が形成されている。
【００３５】
カバー部材１０は、アクリル樹脂やポリカーボネート等の乳白色を呈する合成樹脂材料から略正方形状に形成されており、図示しない係脱手段によってアダプタガイド５に着脱自在に取付けられるようになっている。したがって、カバー部材１０が取付けられることによって、アダプタＡは覆われて下方から視認しにくくすることができる。
【００３６】
アダプタＡは、図２及び図１２に示すように、天井面Ｃに設置された引掛けシーリングボディＣｂに、上面側に設けられた引掛刃によって電気的かつ機械的に接続されるもので略円筒状をなし、周壁の両側には一対の係止部Ａ1が、内蔵されたスプリングによって常時外周側へ突出するように設けられている。この係止部Ａ1は下面側に設けられたレバーを操作することにより没入するようになっている。また、このアダプタＡからは、前記点灯装置２へ接続する図示しない電源コードが導出されていて、点灯装置２とコネクタを介して接続されるようになっている。
【００３７】
赤外線リモコン送信器Ｒは、例えば、周波数３８ｋＨｚのパルス状の特定のコード化された赤外線リモコン制御信号を送信するもので、全光点灯ボタン、調光点灯ボタン、常夜灯ボタンや消灯ボタン等が設けられている。このリモコン送信器Ｒを補助部品ユニット８、すなわち、赤外線リモコン信号受信部８４に向けて操作することによって光源部６における発光素子６１の発光状態、つまり、全光点灯、調光点灯、消灯等の制御を行うことができる。
【００３８】
以上のような照明器具において、図６に代表して示すように、シャーシ４の当接部４１は、導光板７の背面側に当接されている。より詳しくは、シャーシ４の当接部４１は、導光板７の背面側であって開口７１の周囲に配設され当接されるようになっている。なお、シャーシ４の当接部４１の導光板７の背面側への当接は、直接的に行われても間接的に行われてもよい。
【００３９】
また、導光板７における開口７１の前面側の周縁部は、アダプタガイド５の下端側の鍔部５２に支持されている。さらに、図７に代表して示すように、導光板７の前面側の外周縁部は、本体枠９における底壁９２の傾斜状部に支持されている。一方、導光板７の背面側には、反射板３が配設されており、導光板７は、反射板３と、前記アダプタガイド５の鍔部５２及び本体枠９の底壁９２の傾斜状部とによって挟持されるように配置されている。この状態においては、導光板７の光入射端面７２は、発光素子６１と対向して位置し、発光素子６１から出射される光が入射するようになっている。
【００４０】
図１、図４及び図５に示すように補助部品ユニット８は、発光部としての導光板７の発光領域外であって外周縁部に配設されるようになっている。したがって、この補助部品ユニット８、つまり、補助部品によって導光板７に暗部を形成することを回避できる。また、補助部品ユニット８には、赤外線リモコン信号受信部８４等の複数の電気的補助部品が集中化して設けられているので、配線処理や組立作業の効率化が可能となる。さらに、外周縁部に配置されているので目立つことなく、デザイン性の向上が期待できる。
【００４１】
また、図３、図５及び図７に示すように、本体枠９の側壁９１と、反射板３の取付片３２との間には、間隙Ｇが形成されるようになっている。つまり、反射板３の外形は、枠状の本体枠９より小さく形成されていて、反射板３の全周にわたって間隙Ｇが形成されるようになっている。この間隙Ｇによって発光素子６１から発生する熱が取付板６３を介して対流作用で放熱される。なお、この対流作用を促進するため、本体枠９の底壁９２に空気流通孔を形成するようにしてもよい。
【００４２】
次に、照明器具の天井面Ｃへの取付状態について、図１２及び図１３を参照して説明する。なお、各図においてアダプタＡから導出される電源コードの図示は省略している。
【００４３】
図１２に示すように、天井面Ｃに引掛けシーリングボディＣｂが設置されている。また、この引掛けシーリングボディＣｂには、アダプタＡが電気的かつ機械的に接続されている。この状態から図示矢印で示すように、器具本体１におけるアダプタガイド５の係合口５１をアダプタＡに合わせながら、アダプタＡの係止部２１がアダプタガイド５の係合口５１に確実に係合するまで器具本体１を下方から手で押し上げて取付け操作を行う。
【００４４】
図１２に示すように、器具本体１の取付状態では、アダプタＡがシャーシ４の開口５２を挿通し、アダプタＡの係止部Ａ1がアダプタガイド５の係合口５１に係止されて取付状態が保持される。
【００４５】
また、器具本体１を取外す場合には、カバー部材１０を取外し、アダプタＡに設けられているレバーを操作してアダプタＡの係止部Ａ1の係合を解くことにより取外すことができる。
【００４６】
照明器具の取付け状態において、点灯装置２に電力が供給されると、基板６２を介して発光素子６１に通電され、各発光素子６１が点灯する。発光素子６１から出射された光は、導光板７の光入射端面７２へ入射し、この入射した光は、導光板７内で全反射して導光板７全体に広がるとともに、背面側に形成された反射ドットからなるドットパターンによって拡散反射されて均質化された光が前面側の発光領域から放射される。加えて、導光板７から漏れた一部の光は、反射板３によって反射され前面側に放射されて再利用されるようになる。
【００４７】
また、赤外線リモコン送信器Ｒを赤外線リモコン信号受信部８４に向けて操作することによって光源部６における発光素子６１の発光状態の制御を行うことができる。この場合、赤外線リモコン信号受信部８４は、本体枠９の底壁９２と略同一又は底壁９２から若干突出して位置されているので、赤外線リモコン信号を受信しやすくなっている。
【００４８】
さらに、図１４に示すように、本実施形態の照明器具は、同一照明空間内、例えば、同室内に、光源を蛍光ランプとする他の照明器具と混在して設置される場合がある。
【００４９】
この場合、本実施形態の照明器具は、光源を発光素子６１としているため、その放射光に赤外線はほとんど含まれない。したがって、発光素子６１から放射される光がノイズとして赤外線リモコン信号受信部８４に作用して不具合を生じることはほとんどないため、そのノイズ対策構造は、厳格な構造が採られていない。換言すれば、例えば、バンドパスフィルタ等を設けることなく、イズ対策構造を簡易な構造とすることができる。
【００５０】
このため、本実施形態の照明器具と他の照明器具とが混在して設置されると、他の照明器具からの照射光（赤外線）が本実施形態の照明器具の赤外線リモコン信号受信部８４に作用する可能性がある。しかしながら、本実施形態の照明器具では、補助部品ユニット８（赤外線リモコン信号受信部８４）が外周縁に配設されているので、図に示すように、補助部品ユニット８を他の照明器具から遠ざけるように配置方向を調整して設置することができる。
【００５１】
したがって、本実施形態の照明器具と他の照明器具とが混在して設置される場合であっても、他の照明器具からの照射光によるノイズを受けることを抑制でき、赤外線リモコン送信器Ｒによる制御を確実なものとすることができる。
【００５２】
また、各発光素子６１から発生する熱は、基板６２裏面側から取付板６３に伝導され、本体枠９と反射板３との間の間隙Ｇによって促進される対流作用で放熱される。さらに、取付板６３に伝導された熱は、反射板３に伝導され、反射板３の広い面積で効果的に放熱される。
【００５３】
なお、補助部品ユニット８は、複数の電気的補助部品が集合するように設けられていればよく、その具体的構成が限定されるものではない。さらに、補助部品ユニット８には、複数の電気的補助部品が集中化して設けられるが、特定の電気的補助部品が分散して配設されるのを妨げるものではない。補助部品ユニット８に電気的補助部品がある程度集約して設けられていればよい。これにより所期の効果を奏することが可能となる。
【００５４】
以上のように本実施形態によれば、補助部品によって発光部に暗部を形成することを回避でき、発光部の輝度むらを抑制することができる。また、補助部品ユニット８には、複数の電気的補助部品が集中化して設けられているので、配線処理や組立作業の効率化できる。さらに、例えば、本実施形態の照明器具が他の照明器具と混在して設置される場合であっても、赤外線リモコン信号受信部８４が他の照明器具からの照射光によるノイズを受けるのを抑制でき、赤外線リモコン送信器Ｒによる制御を確実なものとすることができる。加えて、補助部品ユニット８は、外周縁部に配置されているので目立つことなく、デザイン性の向上が可能となる。
【００５５】
次に、本発明の第２の実施形態について図１５を参照して説明する。なお、本実施形態は、細部の構成に異なる点はあるが、基本的に第１の実施形態と同様な構成であり、同一又は相当部分には同一符号を付し、重複した説明は省略する。
【００５６】
本実施形態においては、補助部品ユニット８は、器具本体１の外周縁部であって本体枠９の外側へ突出するように配設されている。また、補助部品ユニット８は、本体枠９の底壁９２より背面側、すなわち、天井面Ｃ側に位置している。したがって、赤外線リモコン信号受信部８４も本体枠９の底壁９２より背面側に位置される（図７を併せて参照）。換言すれば、赤外線リモコン信号受信部８４は、発光部の照射方向である底部側よりも上方に位置するように器具本体１の外周縁部に配設されている。さらに、本体枠９の外周部は、Ｒ形状の傾斜状Ｓに形成されている。
このような構成により、補助部品ユニット８の配設構造を簡単化できるとともに、補助部品ユニット８が外観上目立ってしまうことを軽減できる。
【００５７】
また、この場合、図に示すように、赤外線リモコン送信器Ｒを補助部品ユニット８が位置されている外周縁部とは反対側から操作すると、本体枠９が受信の障害となり赤外線リモコン信号受信部８４が赤外線リモコン信号を受信しにくくなる可能性がある。
【００５８】
しかしながら、本実施形態では、補助部品ユニット８と近接する器具本体１の部位は、中央部の方向に向かって傾斜状Ｓに形成されているので、赤外線リモコン信号を受信しやすくすることができる。具体的には、補助部品ユニット８の内側に位置する本体枠９が中央部の方向に向かってＲ形状の傾斜状Ｓに形成されている。なお、このＲ形状の傾斜状Ｓは、直線状の傾斜状Ｓに形成されていてもよく、要は、赤外線リモコン信号を受信しやすい傾斜状Ｓの構成であればよい。
次に、本発明の第３の実施形態について図１６を参照して説明する。なお、第１の実施形態と同一又は相当部分には同一符号を付し、重複した説明は省略する。
【００５９】
第１の実施形態では、発光素子６１から出射される光を発光部である導光板７を用いて照明を行う形式のものについて説明したが、本実施形態では、導光板７を用いることなく、基板６２に実装された発光素子６１から出射される光を、例えば、拡散性を有する乳白の透光性カバーＣｖを透過させて照明を行う形式のものである。
【００６０】
器具本体１の背面側には、光源として複数の発光素子６１を実装した複数（４枚）の基板６２が中央部を取り囲むように配設されている。また、基板６２の前面側には、これらを覆う透光性カバーＣｖが設けられている。したがって、発光素子６１から出射される光は、透光性カバーＣｖを通じて外部に放射され、透光性カバーＣｖは、所定の発光領域を有する面状の発光部として機能する。また、補助部品ユニット８は、発光領域の外側であって外周縁部に配設されている。
【００６１】
なお、必ずしも透光性カバーＣｖを必要とするものではない。例えば、透光性カバーＣｖを設けない場合には、基板６２における発光素子６１が実装された表面が発光領域を有する発光部として機能する。
以上のように本実施形態の構成によっても、第１の実施形態と同様な効果を奏することができる。
【００６２】
なお、本発明は、上記実施形態の構成に限定されることなく、発明の要旨を逸脱しない範囲で種々の変形が可能である。補助部品ユニットに設けられる電気的補助部品は、上記実施形態の部品に限定されるものではない。例えば、人感センサを設けるようにしてもよい。
【００６３】
さらに、発光部の構成や照明器具の外観形状や形態は、上記実施形態に限定されるものではない。例えば、外観形状は、多角形状、円形状に形成することができる。また、発光素子は、ＬＥＤや有機ＥＬ等の固体発光素子が適用できる。さらにまた、発光素子の個数は、特段限定されるものではない。
【符号の説明】
【００６４】
１・・・器具本体、２・・・点灯装置、３・・・反射板、４・・・シャーシ、
６・・・光源部、７・・・導光板、８・・・補助部品ユニット、９・・・本体枠、
１０・・・カバー部材、６１・・・発光素子、６２・・・基板、
６３・・・取付部材（取付板）、７２・・・光入射端面、８２・・・ユニット基板、
８４・・・赤外線リモコン信号受信部、８５・・・照度センサ、８６・・・常夜灯、
Ｒ・・・赤外線リモコン送信器、Ｓ・・・傾斜状
【図１】
0005610282.tif 000002
【図２】
0005610282.tif 000003
【図３】
0005610282.tif 000004
【図４】
0005610282.tif 000005
【図５】
0005610282.tif 000006
【図６】
0005610282.tif 000007
【図７】
0005610282.tif 000008
【図８】
0005610282.tif 000009
【図９】
0005610282.tif 000010
【図１０】
0005610282.tif 000011
【図１１】
0005610282.tif 000012
【図１２】
0005610282.tif 000013
【図１３】
0005610282.tif 000014
【図１４】
0005610282.tif 000015
【図１５】
0005610282.tif 000016
【図１６】
0005610282.tif 000017